(57)【特許請求の範囲】
【請求項１】
前部を有する絶縁体であって、前記前部から前向きに突出するタングを有する、絶縁体と、
該絶縁体に取り付けられた端子モジュールであって、該端子モジュールは、第一の端子列および第二の端子列を含み、各端子は接点部および半田付け部を備え、前記第一の端子列の接点部および前記第二の端子列の接点部は、前記タングの上側および下側にそれぞれ配置され、前記第一の端子列および第二の端子列の半田付け部は、４つの列を提供するよう前列および後列にそれぞれ配置された、端子モジュールと、
上壁、底壁、およびこれらの間を連結する２つの側壁を備えるシールドであって、前記上壁、底壁および２つの側壁は、対応して前記タングを収容するために接点室を形成するように前記絶縁体の外周に延びるシールドと、を備える電気コネクタであって、
前記第一の端子列および第二の端子列の半田付け部が前記シールドの後部の外に延び、前記電気コネクタは回路基板に支持されるように構成される支持面を含み、前記シールドの前部における底壁は前記支持面より低く、
前記シールドが、該シールドの前部を形成する第一ハウジングと、前記シールドの後部を形成する第二ハウジングとを備え、前記第一ハウジングは前記タングの外周に延び、上壁を備え、前記第二ハウジングは、前記タングの後方の絶縁体の外周に延び、前壁、後壁及び上壁を備え、前記第二ハウジングが前記絶縁体に支持されている前記第一の端子列および第二の端子列の外周に延びるように、前記第二ハウジングの前壁は前記第一ハウジングの上壁から上方に延びる、電気コネクタ。
【請求項２】
各端子は、前記接点部の後部の端から上向きに折り曲げて延びる折り曲げ部と、該折り曲げ部から後向きに折り曲げて延びる延在部とを更に備え、前記半田付け部は、Ｕ字型構成を提供するために、前記延在部の後部の端から下向きに折り曲げて延びる、請求項１に記載の電気コネクタ。
【請求項３】
前記第一の端子列の延在部は上下方向に前記第二の端子列の延在部から離間され、前記端子モジュールは、絶縁材料から形成され、前記第一の端子列の延在部と前記第二の端子列の延在部との間に配置された保護要素を更に備える、請求項２に記載の電気コネクタ。
【請求項４】
前記第一の端子列の折り曲げ部は前後方向に前記第二の端子列の折り曲げ部から離間され、前記保護要素は前記第一の端子列の延在部および前記第二の端子列の延在部の間に配置される水平部と、前記第一の端子列の折り曲げ部および前記第二の端子列の折り曲げ部の間に配置される垂直部とを備える、請求項３に記載の電気コネクタ。
【請求項５】
前記保護要素の底部は、前記第二の端子列の前記延在部を収容する複数の凹部を提供される、請求項４に記載の電気コネクタ。
【請求項６】
前記端子モジュールは、前記第一の端子列の接点部の後部の外周に形成された第一位置決め要素と、前記第二の端子列の接点部の後部の外周に形成された第二位置決め要素と、を更に備える、請求項２に記載の電気コネクタ。
【請求項７】
前記第一の端子列では、前記延在部の厚さに等しい上下方向の高低差が、半田付け部が前記前列にある端子の延在部の後部と、半田付け部が後列にある端子の延在部の後部との間に形成される、請求項６に記載の電気コネクタ。
【請求項８】
前記絶縁体の中央部は、前記第一位置決め要素および第二位置決め要素を収容する収容室を備える、請求項７に記載の電気コネクタ。
【請求項９】
前記絶縁体の後部が、上壁および該上壁の２つの側面から下向きに延びる２つの側壁を含むフレームを備え、前記支持面が前記フレームの前記２つの側壁の底部に配置される、請求項１に記載の電気コネクタ。
【請求項１０】
前記絶縁体は前後方向に延びる貫通スロットを備え、前記第一ハウジングは本体および該本体から後向きに延びる２つのサイドアームを備え、前記本体は前記シールドの前部において、上壁、底壁および２つの側壁から形成され、前記上壁の後部の端は、前記絶縁体の貫通スロットに挿入される突出プレートを備え、前記２つのサイドアームは前記絶縁体の両側面によって固定される、請求項１に記載の電気コネクタ。
【請求項１１】
前記第一ハウジングの２つのサイドアームは外向きに突出する固定部をそれぞれ備え、前記第二ハウジングは上壁と２つの側壁とを備え、前記第二ハウジングの２つの側壁はそれぞれ固定穴を備え、前記第二ハウジングの固定穴および前記第一ハウジングの固定部は、２つのハウジングを相互に組み立てるために相互に協働する、請求項１０に記載の電気コネクタ。
【請求項１２】
前記第一ハウジングおよび第二ハウジングの両側面が、前記回路基板に固定されるための固定ピンを備える、請求項１に記載の電気コネクタ。
【請求項１３】
前記電気コネクタは凹所に置かれる様式で前記回路基板に固定され、該回路基板は、前記電気コネクタのシールドの前部がその中に位置付けられる、収容する凹部を提供される、請求項１に記載の電気コネクタ。
【請求項１４】
前記電気コネクタの支持面が前記シールドの後部の底部に配置され、かつ、前記電気コネクタがそれ以上深く凹所に置かれるのを防ぐように、前記電気コネクタが事前決定された深さで凹所に置かれる時に、前記支持面が前記回路基板に接触するよう構成される、請求項１３に記載の電気コネクタ。
【請求項１５】
前記電気コネクタの支持面が前記絶縁体の底部に配置され、前記電気コネクタがそれ以上深く凹所に置かれるのを防ぐように、前記電気コネクタが事前決定された深さで凹所に置かれる時に、前記支持面が前記回路基板に接触するよう構成される、請求項１３に記載の電気コネクタ。
【発明の詳細な説明】
【技術分野】
【０００１】
（関連出願）
本願は、参照により本明細書にその全体を組み込まれる、２０１０年６月１０日出願の中国特許出願第２０１０１０２００７０３．０号に基づいて優先権を主張する。
【０００２】
本発明は、電気コネクタに関し、具体的には、電気コネクタと、対応する回路基板との全体の高さを低下させるのを補助するのに適した電気コネクタに関する。
【背景技術】
【０００３】
マルチメディア技術の急速な発展に伴い、ミニディスプレイポートコネクタは電子デバイスに日々広く使われている。小型化された製品のための要望に応える補助となるように、中国特許ＺＬ２００９２０００１８５７．Ｘ号は、その後部における収容室と、その前部から前方へ突出するタングとを備えて提供された絶縁ハウジングと、複数の端子であって、それぞれ、タングの上側に取り付けられた上端子列と、タングの下側に取り付けられた下端子列とを含み、各端子は、接点部、半田付け部、および接点部と半田付け部との間に連結された折り曲げ部を備え、上端子列および下端子列の接点部はそれぞれタングの上側および下側に取り付けられ、各端子列の半田付け部は絶縁ハウジングの後部から下向きに延び、前列と後列とに配設された端子と、絶縁ハウジングの外面を覆うシールドハウジングと、絶縁ハウジングの収容室に取り付けられ、端子の折り曲げ部が外力によって曲がったり、相互に接触して短絡故障するのを効果的に防ぐため端子の折り曲げ部の外面を覆う２つの位置決めモジュールと、を備える電気コネクタを開示している。シールドハウジングの前部の底面は絶縁ハウジングの後部の底面よりも事前設定された距離だけ高く、電気コネクタが回路基板に取り付けられている時は、電気コネクタが更に沈むのを防ぐため、絶縁ハウジングの後部の底面は回路基板の上面にまず接触し、シールドハウジングの前部の底面は吊り下げ空間のために回路基板の上面より高い。
【発明の概要】
【発明が解決しようとする課題】
【０００４】
したがって、従来の電気コネクタの絶縁ハウジングおよびシールドハウジングの両方は、回路基板の上方に配置され、そのために全体の高さは大きく、一般的には回路基板の高さと電気コネクタの高さとを合わせたものに等しい。これは、ノートパソコンのようなコンパクトな空間を有する電気デバイスに適さない。
【課題を解決するための手段】
【０００５】
電気コネクタは、前部と、前部から突出するタングとを有する絶縁体を含む。コネクタは、絶縁体上に取り付けることのできる端子モジュールを更に含み、第一および第二の端子列をそれぞれ支持することができる第一および第二位置決め要素を含んでもよい。それぞれの端子は、接点部と半田付け部とを提供される可能性があり、第一の端子列の接点部と第二の端子列の接点部とは、タングの上側および下側にそれぞれ配置され、第一の端子列の半田付け部と第二の端子列の半田付け部とは、半田付け部の前列および後列を提供するように各々構成することができる。コネクタは更に、絶縁体の外面を覆うシールドを含むことができ、そのシールドは、タングを収容する接点室を形成するために、上壁、底壁および上壁と底壁とを接続する２つの側壁を含むことができ、第一および第二の端子列の半田付け部は、シールドの後部の外へ延びることができる。それに加え、電気コネクタの後部は、回路基板に接続するための支持面を提供される可能性がある。シールドの前部の底面は、支持面より低い。
【０００６】
端子はそれぞれ、接点部から延びる折り曲げ部と、折り曲げ部から延びる延在部と、延在部から延びる半田付け部とを含んでもよい。第一の端子列の延在部は、第二の端子列の延在部から縦方向に離間することができる。そして所望される場合、保護要素を第一の端子列の延在部と第二の端子列の延在部との間に配置することができる。実施形態では、第一および第二位置決め要素は互いに組み立てることができる。
【図面の簡単な説明】
【０００７】
【図１】電気コネクタの実施形態を示す斜視図である。
【図２】回路基板に組み付けられた図１の電気コネクタを示す分解斜視図である。
【図３】回路基板に組み付けられた図１の電気コネクタを示す斜視図である。
【図４】図３の、回路基板に組み付けられた電気コネクタを示す側面図である。
【図５】図３の、回路基板に組み付けられた電気コネクタを示す正面図である。
【図６】図５中の線Ａ−Ａに沿った断面図である。
【図７】電気コネクタの実施形態を示す分解斜視図である。
【図８】端子モジュールと絶縁体とが共に組み立てられた、電気コネクタの実施形態を示す分解斜視図である。
【図９】図８に示された電気コネクタを示す別の分解斜視図である。
【図１０】電気コネクタの実施形態の分解斜視図である。
【図１１】共に組み立てるように構成された２つの位置決め要素を示す分解斜視図である。
【図１２】図１１に示された位置決め要素の立面側面図である。
【図１３】電気コネクタの端子モジュールと絶縁体との実施形態を示す分解斜視図である。
【図１４】図１３に示された特徴を示す、別の視認角度からの、別の斜視図である。
【図１５】電気コネクタの実施形態の分解斜視図である。
【発明を実施するための形態】
【０００８】
以下、ミニディスプレイポートコネクタを例として用いて、本発明の実施形態について、添付の図を参照して詳細に説明する。以下の詳細な説明は例示的な実施形態を説明するものであり、明確に開示された組み合わせに限定することは意図されていない。したがって、特段の断わりのない限り、ここに開示された特徴は、そうでなければ簡潔化の目的のために示されない、追加の組み合わせを形成するために互いに組み合わせられてもよい。
【０００９】
ここに示す電気コネクタはコネクタと、提供される構造に対応する回路基板との全体の高さを低下させることができる。例えば、シールドの前部は回路基板内の中に凹所に置くように設計され、それによってコネクタと、回路基板との全体の高さを低下させる。結果として、電気コネクタはコンパクトな空間を持つノートパソコンのような用途に特に適合する。更に、上向きに折り曲げ、かつ接点部と延在部との間に延びる折り曲げ部を提供することによって、接点部を有する電気コネクタの前部は、回路基板内の凹部に置くことができる。また、延在部と回路基板との間には上下方向に適切な距離もある。シールドは、シールドの前部が回路基板に沈み込む深さを変更するのを容易にする、２つの部分を結合した構造に設計することができる。加えて、保護要素を提供することによって、外力がかかった時に、第二の端子列が上向きに曲がり、第一の端子列と接触することによる短絡を回避する。更に、第一ハウジングおよび第二ハウジングにおいて固定ピンを提供することによって、電気コネクタ全体は均一荷重下で回路基板に固定され、したがって、電気コネクタの寿命を延長することができる。
【００１０】
図１〜図１２は、電気コネクタ１０の特徴を示す。電気コネクタ１０は絶縁体１、絶縁体１に取り付けられた端子モジュール２および絶縁体１の外面を覆うシールド３を含む。図２に示されているように、電気コネクタ１０は回路基板２０の収容凹部２０１に取り付けられてもよい。
【００１１】
図１３〜図１５に示されているように、タング１１は絶縁ハウジング１の前部から前向きに突き出て、収容室１２は絶縁体１の中央に形成され、フレーム１３は後方および上方へ、絶縁体１の後部から突出する。複数の端子収容溝１１１は、タング１１の上側および下側の両方に提供される。収容室１２は、上壁１２１、下壁１２２および２つの側壁１２３によって形成される。側壁１２３は２つの固定穴１２３１および１２３２を有する。フレーム１３は上壁１３１、２つの側壁１３２および前壁１３３によって形成される。それぞれの側壁１３２は、その前部に固定穴１３２１を、その後部に突き出て、かつ前後方向へ延びる固定ブロック１３２２を提供される。そのほか、それぞれの側壁１２３の内部は、前後方向へ延びる固定スロット１３２３が凹部にされる。前壁１３３は、前面から後面まで延び、貫く、全体を通ずる貫通スロット１３３１を備える。２つの支持ピン１３４は２つの側壁１３２の底部からそれぞれ下向きに突出する。支持ピン１３４のそれぞれの底部は支持面１３５を有する。図４に示されているように、電気コネクタ１０が回路基板２０の収容凹部２０１に取り付けられる時に、支持面１３５は、事前設定された深さへ電気コネクタ１０が沈み込む限り、電気コネクタ１０がそれ以沈み込むのを防ぎ、その後の半田付けプロセスを容易にするために、回路基板２０の上面２０２に接触する。
【００１２】
図１１〜図１５に示されているように、端子モジュール２は、第一の端子列２２を支持する第一位置決め要素２５と、第二の端子列２３を支持する第二位置決め要素２６とを含む。保護要素２４は２つの端子列２２と２３との間に取り付けられ、スペース要素２７は端子の半田付け部に近接して提供されてもよい。
【００１３】
第一の端子列２２のそれぞれは、接点部２２１と、接点部２２１の後部の端から上向きに折り曲げて延びる折り曲げ部２２３と、折り曲げ部２２３の上部の縁から後向きに更に折り曲げて延びる延在部２２４と、延在部２２４の後部の端から更に下向きに折り曲げて延びる半田付け部２２２とを提供される。第二の端子列２３のそれぞれも、接点部２３１と、接点部２３１の後部の端から上向きに折り曲げて延びる折り曲げ部２３３と、折り曲げ部２３３の上部の縁から後向きに折り曲げて延びる延在部２３４と、延在部２３４の後部の端から更に下向きに折り曲げて延びる半田付け部２３２とをまた提供される。このように、端子の各々はＵ字型に曲がって形成される。図６にも示されているように、接点部２２１、２３１から上向きに折り曲げて延びる折り曲げ部２２３、２３３は、接点部２２１、２３１と延在部２２４、２３４との間に位置付けられ、接点部２２１、２３１はより低い位置に位置され、延在部２２４、２３４はより高い位置に位置される。したがって、接点部２２１、２３１が位置付けられた電気コネクタ１０の前部は、回路基板２０の収納凹部２０１内に沈み込ませることができ、延在部２２４、２３４と回路基板２０との間には上下方向に適切な距離がある。２つの端子列２２、２３の接点部２２１、２３１はタング１１の上側および下側の収容溝１１１内に取り付けられ、２つの端子列２２、２３の半田付け部２２２、２３２は合計４つの列を提供するために、各々前列と後列とに配置される。端子２２の折り曲げ部２２３は端子２３の折り曲げ部２３３から前後方向に離間され、端子２２の延在部２２４は端子２３の延在部２３４から上下方向に離間される。
【００１４】
図１２に示されているように、第一の端子列２２では、半田付け部２２２が前列にある端子の延在部２２４の後部と、半田付け部２２２が後列にある端子の延在部２２４の後部との間で上下方向に高低差がある。高低差は延在部２２４の厚さに等しい。第二の端子列２３では、半田付け部２３２が前列にある端子の延在部２３４と、半田付け部２３２が後列にある端子の延在部２３４の後部との間で上下方向に高低差があり、この高低差も延在部２３４の厚さに等しい。
【００１５】
保護要素２４は絶縁材料から形成され、水平部２４１と垂直部２４２とを含む。水平部２４１は、第一の端子列２２および第二の端子列２３の延在部２２４と延在部２３４との間に相応するように配置される。垂直部２４２は、２つの端子列２２、２３の折り曲げ部２２３と折り曲げ部２３３との間に配置される。複数の凹部２４３が、第二の端子列２３の延在部２３４を収容するために、保護要素２４の底部において提供される。端子モジュール２（スペース要素２７を含まない）を絶縁体１の収容室１２へ前向きに挿入し組み立てる時は、垂直部２４２は第一の端子列２２の折り曲げ部２２３、および第二の端子列２３の折り曲げ部２３３が変形して短絡するのを防ぐことができる。電気コネクタ１０を回路基板２０の上に取り付ける時は、水平部２４１は、それが回路基板２０上のボンディングパッド２０４に挿入される時に第二の端子列２３の延在部２３４が外力によって上向きに曲げられるのを防ぐことができ、それによって、第二の端子列２３の延在部２３４と、第一の端子列２２の延在部２２４との間の短絡を防ぐことができる。
【００１６】
第一位置決め要素２５は、第一の端子列２２の接点部２２１の後部の外周において、オーバーモールディングプロセスによって形成され、第二位置決め要素２６は、第二の端子列２３の接点部２３１の後部の外周において、オーバーモールディングプロセスによって形成される。示されているように、第一位置決め要素２５の下面にはバックリング溝２５１が提供され、その２つの側面の各々には突出ブロック２５２が提供される。第二位置決め要素２６の上面は固定ブロック２６１が突出し、第二位置決め要素２６の２つの側面の各々には突出ブロック２６２が突出する。固定ブロック２６１とバックリング溝２５１とは、互いに係合し２つの位置決め要素２５、２６をともに組み立てるように構成される。突出ブロック２５２および突出ブロック２６２は、２つの位置決め要素２５、２６を絶縁体１の収容室１２に組み付け、かつ固定するために、収容室１２の側壁１２３上の固定穴１２３１、１２３２と係合される。この組み立て構造は、端子２２、端子２３を絶縁体１へ組み付け、かつ固定するのを容易にする。
【００１７】
スペース要素２７は、絶縁材料からできており、半田付け部２２２、半田付け部２３２を覆う。スペース要素２７は基部２７１と、基部２７１の両側から外向きに突出する複数の固定ブロック２７２を含む。基部２７１は、上下に貫通して延び、半田付け部２２２、半田付け部２３２が通過できるようにする複数の貫通穴２７１１を備える。それによって、半田付け部２２２、半田付け部２３２を変形、および互いの接触から防ぐことができる。固定ブロック２７２は、スペース要素２７を絶縁体１と共に組み立てるために、絶縁体１のフレーム１３の固定スロット１３２３に挿入することができる。
【００１８】
図７から図１０に示されているように、シールド３の前部は、タング１１をその中に収納しその前部の端に開口部を持つ接点室３３を形成するため、絶縁体１に組み立てられる。シールド３の後部は絶縁体１に組み立てられ、フレーム１３の外面を覆う。２つの端子列２２、端子列２３の半田付け部２２２、半田付け部２３２は、直接挿入様式では、シールド３の後部における底面３２から外へ延びる。半田付け部２２２、半田付け部２３２は、外面接合様式では、シールド３の後部から外へ延びてもよいことに留意されなければならない。本実施形態では、シールド３は第一ハウジング４および第二ハウジング５によって構成されている。第一ハウジング４はシールド３の前部を形成し、第二ハウジング５はシールド３の後部を形成する。
【００１９】
第一ハウジング４は、本体４１と、本体４１の後端の両側から延びる２つのサイドアーム４２を含む。本体４１は、上壁４１１、底壁４１２および、上壁４１１と底壁４１２との間に接続される２つの側壁４１３によって形成され、そこにタング１１が収容される。上壁４１１の後の端から後向きに突出する突き出しプレート４１１１は、フレーム１３の前壁１３３における貫通スロット１３３１内へ挿入され、前壁１３３によって固定されてもよい。それぞれのサイドアーム４２の前部において提供される固定プレート４２１と、それぞれのサイドアーム４２の後部において提供される開口凹部４２２は、フレーム１３の２つの側壁１３２において、それぞれ、固定穴１３２１および固定ブロック１３２２に係合されてもよい。それにより、２つのサイドアーム４２を、フレーム１３の２つの側壁１３２と接続する。それぞれのサイドアーム４２は、外向きに突出する固定部４２３を更に提供される。固定ピン４３は、第一ハウジング４が回路基板２０の上へしっかりと固定されるよう、各側壁４１３の後部から外向きおよび下向きに折り曲げられる。
【００２０】
第二ハウジング５は、上壁５１、２つの側壁５２、前壁５３および後壁５４によって形成される。第二ハウジング５の外形は、フレーム１３の外形と一致する。固定穴５２１は各側壁５２においてそれぞれ提供され、第一ハウジング４のサイドアーム４２上の固定部４２３と係合され、それによって、第二ハウジング５は第一ハウジング４と組み立てられる。固定ピン５５は、第二ハウジング５を回路基板２０の上へしっかりと固定することができるように、各側壁５２の後部において下向きに突出する。
【００２１】
電気コネクタ１０の製造と組み立てのプロセスは、以下に示す手順を含んでもよい。すなわち、射出成形工程において、溶融プラスチック材料により絶縁体１を形成すること、端子モジュール２の端子を形成する２つの端子列２２、２３、および接続された金属ストリップ（示されていない）を形成し、その後端子モジュール２を提供するために、インサート成形工程により２つの位置決め要素２５、２６を製造すること、前後方向に２列に配設された半田付け部２２２、２３２を形成するために、第一の端子列２２および第二の端子列２３を折り曲げ、次いで２つの位置決め要素２５、２６をともに配置し、かつ端子モジュール２（スペース要素２７を含まない）をともに、その後絶縁体１を後部から前部へ組み立てるのと同時に、２つの端子列２２と２３との間へ保護要素２４を挿入すること、絶縁体１のフレーム１３内に、底部から上部へ、スペース要素２７を取り付けること、シールド３の第一ハウジング４を、絶縁体１の前部から後部まで、２つのサイドアーム４２が絶縁体１のフレーム１３の２つの側壁１３２に固定されるまで絶縁体１へ覆うこと、並びに、その後、シールド３の第二ハウジング５を、第二ハウジング５の２つの側壁５２の固定穴５２１が第一ハウジング４のサイドアーム４２における固定部４２３と係合され、これにより第二ハウジング５が第一ハウジング４と組み立てられるまで、絶縁体１のフレーム１３へ上から下まで、覆うこと、である。
【００２２】
第一位置決め要素から第一の端子列、半田付け部２２２が前列に配置される端子、および半田付け部２２２が後列に配置される端子を製造する工程は、スタンプ加工工程において、異なった金属ストリップの列に形成することができる、ということに留意されなければならない。端子の延在部２２４の２つの列の後部の間に、延在部２２４の厚さと同じにすることができる高低差を提供することによって、金属ストリップの２つの列を相互に積み重ね、外面の第一位置決め要素２５を、端子の接点部２２１の２つの列の後部で成形することをより容易にする。理解されるように、第二位置決め要素２６の成形工程は、第一位置決め要素２５の成形工程と類似する。
【００２３】
図２〜図６は、電気コネクタ１０と回路基板２０との組み立ておよび適用を示している。電気コネクタ１０の前部にあるシールド３の底壁４１２が、絶縁体１の支持面１３５より低いこと、シールド３の前部である第一ハウジング４は回路基板２０の収容溝２０１内へ沈み込ませることができること、および電気コネクタ１０の支持面１３５は、電気コネクタ１０がそれ以上沈み込まないように回路基板２０の上面２０２に接触することがわかる。この組み立てられた構造は、回路基板２０の高さを利用し、その全体の高さが電気コネクタ１０の高さと等しくなる。理解されるように、全体の高さは回路基板２０の高さと同等まで削減され、このようにしてスペースは節約される。
【００２４】
結果的に、電気コネクタ１０の凹所の構造は、電気コネクタ１０と回路基板２０との全体の高さを削減でき、したがって、ノートパソコンのようなコンパクトな空間を必要とするコンパクトな設計に特に有益である。更に、第一の端子列２２の折り曲げ部２２３と延在部２２４との間、および第二の端子列２３の折り曲げ部２３３と延在部２３４との間に保護要素２４を提供することによって、第二の端子列２３および第一の端子列２２は、組み立て工程の間、変形および短絡が防止され得る。さらに、第一の端子列２２の延在部２２４の間の距離、および第二の端子列２３の延在部２３４の間の距離に、それぞれ延在部２２４、延在部２３４の厚さと同等の距離を提供することによって、第一および第二位置決め要素２５、２６を成形することをより容易にする。シールド３を、２つのハウジング４および５を有する組み立て構造として構成することにより、複雑なシールド３を打ち抜きするのを便利にするだけでなく、第一ハウジング４の打ち抜き型を変更すること無しに、第二ハウジング５の打ち抜き型の変更のみで、電気コネクタ１０の前部を沈め込む深さを変更することを容易にする。さらに、第一ハウジング４の固定ピン４３および第二ハウジング５の固定ピン５５を提供し、回路基板２０のボンディングパッド２０５に固定ピン４３、５５を半田付けすることにより、回路基板２０に固定された電気コネクタ１０は均一な力を受けることになり、これによって電気コネクタ１０の寿命は延びる。
【００２５】
上記の説明は単に一例にすぎない。例えば、より好ましい実施形態では、支持面１３５は電気コネクタ１０の後部の底部に配置される。しかしながら、他の実施形態（示されていない）では、支持面は電気コネクタ１０のシールド３の後部の底部に配置されてもよい（第二ハウジング５の固定ピン５５の上部を一部厚くするなどのように、固定ピン５５の上部がボンディングパッド２０５を通過できないようにし、したがって支持面が回路基板２０の上面２０２に接触するようにすることで、電気コネクタ１０がそれ以上凹所に置かれるのを防ぐ補助となる）。本明細書に提供された開示は、その好ましい、あるいは例示的な実施形態について特徴付ける。添付の特許請求の範囲の範囲および趣旨内の多くの他の実施形態、修正および変形例は、本開示を参照することにより、当業者にもたらされるであろう。
【図１】
0005571246.tif 000002
【図２】
0005571246.tif 000003
【図３】
0005571246.tif 000004
【図４】
0005571246.tif 000005
【図５】
0005571246.tif 000006
【図６】
0005571246.tif 000007
【図７】
0005571246.tif 000008
【図８】
0005571246.tif 000009
【図９】
0005571246.tif 000010
【図１０】
0005571246.tif 000011
【図１１】
0005571246.tif 000012
【図１２】
0005571246.tif 000013
【図１３】
0005571246.tif 000014
【図１４】
0005571246.tif 000015
【図１５】
0005571246.tif 000016